(57)【要約】  【課題】逆流を抑えつつ小型化できる排水桝を提供する。  【解決手段】枝管流入口34aの軸心と、枝管流入口34aに対向する側の枝管流入口34bの軸心との距離が、枝管流入口34a,34bの半径以上離れている。枝管流入口34aからインバート部22へと流入する排水が枝管流入口34bへと流れ込み難くなる。枝管流入口34aからインバート部22へと流れ込む排水による枝管流入口34bへの逆流を抑えることができる。枝管流入口34a,34bを近接させて設けることができる。枝管流入口34a,34bへの排水の逆流を抑えつつ、排水桝21aを小型化できる。  【選択図】図１
2005325544.tif 000002
【特許請求の範囲】
【請求項１】
複数の排水設備からのそれぞれの排水を合流させる排水桝であって、
インバート部と、
このインバート部を介して連通した流入口および流出口と、
前記インバート部の両側部のそれぞれに互いの軸心が一致しない位置に設けられ、前記インバート部で排水が流れる方向に対して略直交する方向に向けて突出し、前記複数の排水設備からの排水のそれぞれを前記インバート部へと流入させる複数の枝管流入口と
を具備したことを特徴とした排水桝。
【請求項２】
インバート部の一側部に突設された枝管流入口は、前記インバート部の他側部に突設された枝管流入口から前記インバート部へと流入する排水が直接当たらない位置に設けられている
ことを特徴とした請求項１記載の排水桝。
【請求項３】
インバート部の一側部に突設された枝管流入口は、この枝管流入口の軸心と前記インバート部の他側部に突設された枝管流入口の軸心との間の距離が、これら複数の枝管流入口の半径以上となるように設けられている
ことを特徴とした請求項１または２記載の排水桝。
【発明の詳細な説明】
【技術分野】
【０００１】
本発明は、インバート部を介して両側部に枝管流入口が設けられた排水桝に関する。
【背景技術】
【０００２】
近年、建物の屋内に設置された排水設備からの排水を、床下に設置した排水桝に集中させて合流させ、さらに、この合流させた排水を、建物の基礎を貫通させて屋外へと排出させる、いわゆる排水ヘッダー工法が用いられている。そして、この排水ヘッダー工法によって、屋内の排水設備からの排水を屋外で集合させる以前の工法に比べて施工性や経済性が向上したが、床下の空間に排水桝を設置させる必要があるため、床下の空間が狭くなってしまう。このため、できるだけ全長の短いコンパクトな形状の排水桝とすることが望まれている。
【０００３】
そこで、この種の排水桝としては、例えば床下に設置された屋内の各排水設備に接続された排水枝管を接続するための枝管流入口を、桝本体の流入口および流出口間のインバート部の左右両側に設けた構成が知られている(例えば、特許文献１参照。)。
【特許文献１】特許第３４２６２０２号公報（第３−７頁および図６）
【発明の開示】
【発明が解決しようとする課題】
【０００４】
しかしながら、上述した排水桝では、枝管流入口を桝本体の片側のみに設ける場合よりも全長を短くできるが、左右の枝管流入口から同時に排水が流れ込む場合はともかく、これら左右の枝管流入口の一方からのみ排水が流れ込む場合に、この一方の枝管流入口から流れ込む排水が他方の枝管流入口に接続された排水枝管に逆流してしまう。したがって、この排水枝管内に排水に含まれる夾雑物が滞留し、この夾雑物が排水枝管内に付着してしまうなどの結果、この排水枝管の排水能力の低下や目詰まりなどを引き起こすおそれがあるという問題を有している。
【０００５】
本発明は、このような点に鑑みなされたもので、逆流を抑えつつ小型化できる排水桝を提供することを目的とする。
【課題を解決するための手段】
【０００６】
請求項１記載の排水桝は、複数の排水設備からのそれぞれの排水を合流させる排水桝であって、インバート部と、このインバート部を介して連通した流入口および流出口と、前記インバート部の両側部のそれぞれに互いの軸心が一致しない位置に設けられ、前記インバート部で排水が流れる方向に対して略直交する方向に向けて突出し、前記複数の排水設備からの排水のそれぞれを前記インバート部へと流入させる複数の枝管流入口とを具備したものである。
【０００７】
そして、排水桝のインバート部を介して流入口と流出口とが連通し、この排水桝のインバート部の両側部のそれぞれの複数の枝管流入口を、これら複数の枝管流入口の互いの軸心が一致しない位置に設け、インバート部で排水が流れる方向に対して略直交する方向に向けて突出させた。この結果、インバート部の一側部に突設された枝管流入口からインバート部へと流入する排水設備からの排水が、インバート部の他側部に突設させた枝管流入口へと流れ込み難くなると同時に、複数の枝管流入口を近接させて設けることができる。したがって、これら複数の枝管流入口への排水の逆流を抑えつつ、排水桝を小型化できる。
【０００８】
請求項２記載の排水桝は、請求項１記載の排水桝において、インバート部の一側部に突設された枝管流入口は、前記インバート部の他側部に突設された枝管流入口から前記インバート部へと流入する排水が直接当たらない位置に設けられているものである。
【０００９】
そして、インバート部の一側部に突設された枝管流入口を、インバート部の他側部に突設された枝管流入口からインバート部へと流入する排水が直接当たらない位置に設けた。この結果、インバート部の一側部に突設させた枝管流入口からインバート部へと流入する排水が、インバート部の他側部に突設させた枝管流入口へとより逆流し難くなるから、これら複数の枝管流入口への排水の逆流をより抑えることができる。
【００１０】
請求項３記載の排水桝は、請求項１または２記載の排水桝において、インバート部の一側部に突設された枝管流入口は、この枝管流入口の軸心と前記インバート部の他側部に突設された枝管流入口の軸心との間の距離が、これら複数の枝管流入口の半径以上となるように設けられているものである。
【００１１】
そして、インバート部の一側部に突設させた枝管流入口の軸心と、インバート部の他側部に突設させた枝管流入口の軸心との間の距離を、これら複数の枝管流入口の半径以上とした。この結果、インバート部の一側部に突設させた枝管流入口からインバート部へと流入する排水が、インバート部の他側部に突設させた枝管流入口へとより逆流し難くなり、これら複数の枝管流入口への排水の逆流をより抑えることができる。
【発明の効果】
【００１２】
請求項１記載の排水桝によれば、排水桝のインバート部の両側部のそれぞれの複数の枝管流入口を、これら複数の枝管流入口の互いの軸心が一致しない位置に設けるとともに、インバート部で排水が流れる方向に対して略直交する方向に向けて突出させたため、インバート部の一側部に突設した枝管流入口からインバート部へと流入する排水設備からの排水が、インバート部の他側部に突設した枝管流入口へと流れ込み難くなると同時に、複数の枝管流入口を近接させて設けることができるので、これら複数の枝管流入口への排水の逆流を抑えつつ、排水桝を小型化できる。
【００１３】
請求項２記載の排水桝によれば、インバート部の一側部に突設された枝管流入口を、インバート部の他側部に突設された枝管流入口からインバート部へと流入する排水が直接当たらない位置に設けたため、インバート部の一側部に突設させた枝管流入口からインバート部へと流入する排水が、インバート部の他側部に突設させた枝管流入口へとより逆流し難くできるから、これら複数の枝管流入口への排水の逆流をより抑えることができる。
【００１４】
請求項３記載の排水桝によれば、インバート部の一側部に突設させた枝管流入口の軸心と、インバート部の他側部に突設させた枝管流入口の軸心との間の距離を、これら複数の枝管流入口の半径以上としたため、インバート部の一側部に突設させた枝管流入口からインバート部へと流入する排水が、インバート部の他側部に突設させた枝管流入口へとより逆流し難くできるから、これら複数の枝管流入口への排水の逆流をより抑えることができる。
【発明を実施するための最良の形態】
【００１５】
以下、本発明の排水桝の第１の実施の形態の構成を図１ないし図４を参照して説明する。
【００１６】
図１ないし図４において、１は合流桝で、この合流桝１は、塩化ビニル樹脂などの合成樹脂製の排水桝である。さらに、この合流桝１は、建物２の床下に流水勾配を付けて設置される屋内配管用の排水桝装置である。また、この合流桝１には、図４に示すように、枝管としての排水管３により建物２内の複数の排水設備、例えば風呂場４や洗面所５、洗濯機６、トイレ７、台所８などの図示しない排水口がそれぞれ配管されている。言い換えると、この合流桝１は、建物２の屋内の床下に露出して設置され、この屋内の風呂場４や洗面所５、洗濯機６、トイレ７、台所８などの排水設備からの排水を集中させて合流させる。
【００１７】
さらに、この合流桝１は、建物２の屋内の床下からこの建物２の基礎９を貫通する管体である排水管11を介して建物２の敷地内である屋外に設置される排水桝12に接続されている。また、この排水桝12は、排水管としての屋外排水管である敷地内排水管13によって図示しない公共桝に接続される。また、合流桝１は、図４に示すように、少なくとも１つ以上、例えば３つの排水桝21a,21b,21cを直線状に連結されて形成されている。
【００１８】
そして、これら排水桝21a,21b,21cは、図１ないし図３に示すように、インバート部22を介して流入口23と流出口24とが連通した略筒状の桝本体25を備えている。この桝本体25は、例えば最小幅寸法が呼び経１００ｍｍ相当で、内径寸法が約１０７ｍｍである。そして、この桝本体25は、この桝本体25のインバート部22の一端である下流端に流出口24が開口されている。また、この桝本体25は、この桝本体25のインバート部22の他端である上流端に流入口23が開口されている。さらに、これら流入口23および流出口24の内径部は、同形状に形成されている。
【００１９】
ここで、桝本体25のインバート部22は、これらインバート部22の内側の管底が、このインバート部22の下流端に位置する流出口24に接続される排水管11の内側の管底と等しい。また、これらインバート部22の下半部の内周面は、流出口24に接続される排水管11の下半部の内周面と略同形状の凹弧状に形成されている。
【００２０】
さらに、このインバート部22内の上半部には、流出口24に接続される排水管11の上半部の内周面に対して、上方に向けて拡幅した縦断面凸弧状の拡幅部26が形成されている。これら拡幅部26は、桝本体25の幅方向および高さ方向に向けて拡幅している。また、この拡幅部26は、インバート部22の下半部の内周面に対して直線的に連続して接続されている。
【００２１】
また、各排水桝21a,21b,21cの流入口23および流出口24それぞれの開口外縁には、周方向に沿って径方向に向けて突出する円環状のフランジ部27がそれぞれ一体的に設けられている。これらフランジ部27には、これらフランジ部27の厚さ方向である軸方向に沿って貫通したボルト挿通孔28aが穿設されている。これらボルト挿通孔28aは、フランジ部27の周方向に沿って等間隔に離間された位置に複数、例えば４個ずつ設けられている。この結果、各フランジ部27は、各排水桝21a,21b,21cの流入口23と流出口24とを図示しないパッキングを介して図示しないボルトおよびナットにて水密に連通させる。
【００２２】
さらに、各排水桝21a,21b,21cのフランジ部27の両側部には、これら排水桝21a,21b,21cの両側方向に向けて突出した略矩形平板状の取付片部29がそれぞれ一体的に突設されている。これら取付片部29のそれぞれは、各フランジ部27の面方向に沿った面方向を有しており、桝本体25の幅方向に向けて突出している。そして、これら取付片部29には、これら取付片部29の厚さ方向に向けて貫通したボルト挿通孔28bが穿設されている。これらボルト挿通孔28bは、取付片部29の幅方向に沿った中央部に設けられている。
【００２３】
さらに、これらボルト挿通孔28bには、図示しないボルトの軸部を介して設置支持体が取り付けられて、これらボルト挿通孔28bを介して建物２の床下の所定の位置に排水桝21a,21b,21cを位置決め固定させた状態で設置させる。また、各フランジ部27の内側面と桝本体25の外周面との間には、これら各フランジ部27を補強するリブ状の補強片部30が橋渡しされた状態で一体的に設けられている。
【００２４】
そして、図４に示すように、最も上流側に位置する排水桝21aの流入口23は、略有底円筒状のキャップ体31により水密に閉塞されている。このキャップ体31の外周面には、この外周面に沿って径方向に向けて突出するフランジ部32が一体的に形成されている。
【００２５】
さらに、これら排水桝21a,21b,21cそれぞれの一側部には、枝管接続口としての略円筒状の枝管流入口34aが突設されている。この枝管流入口34aは、例えば呼び径５０φあるいは７５φである。そして、この枝管流入口34aは、建物２の屋内に設置された風呂場４や洗面所５、洗濯機６、トイレ７、台所８などの排水設備からの排水をインバート部22へと流入させる。さらに、この枝管流入口34aは、各排水桝21a,21b,21cの流入口23から臨んだ状態で、これら各排水桝21a,21b,21cの桝本体25の左側部から略水平に突出している。すなわち、この枝管流入口34aは、桝本体25の軸方向に対して直角な略水平方向に向かう軸方向を有する方向に向けて突出している。
【００２６】
言い換えると、この枝管流入口34aは、桝本体25のインバート部22で排水が流れる方向である軸方向に対して直交する方向に向けて突出している。さらに、この枝管流入口34aは、桝本体25の左側部の軸方向に沿った中央部よりも、この桝本体25の流入口23側に向けて離間させた位置、すなわちこの流入口23寄りの位置に設けられている。ここで、この枝管流入口34aは、この枝管流入口34aの内側の管底が、桝本体25のインバート部22の内側の管底より高く形成されている。
【００２７】
また、この枝管流入口34aの開口内縁には、この枝管流入口34aに内嵌合される排水管３の下流端を係止する嵌合段部としての段状の係止段部35が設けられている。この係止段部35は、枝管流入口34aの周方向に沿って形成されている。すなわち、この係止段部35は、枝管流入口34a内に嵌挿される排水管３を水密に接着可能とする。また、この係止段部35は、枝管流入口34aに内嵌合される排水管３の外径寸法に略等しい内径寸法を有している。
【００２８】
そして、枝管流入口34aの係止段部35より奥側には、この枝管流入口34aに内嵌合される排水管３の内径寸法に等しい内径寸法を有する円筒状の連結管部36が一体的に設けられている。この連結管部36の基端側は桝本体25に連通しており、枝管流入口34aに内嵌合された排水管３から流入する排水を桝本体25内へと流入させる。
【００２９】
さらに、この枝管流入口34aの反対側である各排水桝21a,21b,21cの桝本体25であるインバート部22の他側部には、この枝管流入口34aと同様に構成された枝管流入口34bが突設されている。この枝管流入口34bは、各排水桝21a,21b,21cの流入口23から臨んだ状態で、これら各排水桝21a,21b,21cの桝本体25の右側部から略水平に突出している。すなわち、この枝管流入口34bは、桝本体25の軸方向に対して直角な略水平方向に向かう軸方向を有する方向に向けて突出している。さらに、この枝管流入口34bは、桝本体25の右側部の軸方向に沿った中央部よりも、この桝本体25の流出口24側に向けて離間させた位置、すなわちこの流出口24寄りの位置に設けられている。
【００３０】
ここで、この枝管流入口34bは、図１に示すように、この枝管流入口34bの軸心と、この枝管流入口34bが位置する側に対向する側の枝管流入口34aの軸心との間の距離が、これら枝管流入口34a,34bの半径ｒ０以上、例えば直径Ｄとなるように設けられている。
【００３１】
すなわち、この枝管流入口34bは、この枝管流入口34bとこの枝管流入口34bに対向する枝管流入口34aとの互いの軸支が一致しないように偏心した状態で桝本体25の側面に突設されている。言い換えると、これら枝管流入口34a,34bのそれぞれは、これら枝管流入口34a,34bが設けられた側に対向する側の枝管流入口34b,34aから桝本体25のインバート部22へと流入する排水が直接当たらない位置に偏心して設けられている。なお、これら枝管流入口34a,34bは、桝本体25の幅方向に沿った左右のそれぞれに少なくとも１つずつ以上設けられている。
【００３２】
そして、排水桝21aの流出口24は、この流出口24の外周域に位置するフランジ部27のボルト挿通孔28aと、排水桝21bの流入口23の外周域に位置するフランジ部27のボルト挿通孔28aとを連通させて、これら連通した各ボルト挿通孔28a間を図示しないパッキングを介して図示しないボルトおよびナットで接続することにより、排水桝21bの流入口23に水密に接続されている。さらに、この排水桝21bの流出口24は、この流出口24の外周域に位置するフランジ部27のボルト挿通孔28aと、排水桝21cの流入口23の外周域に位置するフランジ部27のボルト挿通孔28aとを連通させて、これら連通した各ボルト挿通孔28a間を図示しないパッキングを介して図示しないボルトおよびナットで接続することにより、排水桝21cの流入口23に水密に接続されている。
【００３３】
また、この排水桝21cの流出口24には、排水管11の上流端が内嵌合されて水密に接着されている。さらに、この排水桝21cの枝管流入口34bには、有底円筒状の閉塞キャップ37が内嵌合された状態で接着固定されている。この閉塞キャップ37は、排水桝21cの枝管流入口34bに内嵌合されて接着固定されることにより、この枝管流入口34bを水密に閉塞する。
【００３４】
ここで、各排水桝21a,21b,21cそれぞれの桝本体25の上面には、略長円筒状の掃除口41が一体的に突設されている。この掃除口41は、桝本体25の軸方向に沿った長手方向を有する上面視長円状に形成されている。また、この掃除口41は、桝本体25の幅方向に沿った中央部であるとともに、この桝本体25の長手方向に沿った中央部に設けられている。すなわち、この掃除口41は、各枝管流入口34a,34b内が点検および掃除できる位置に設けられている。
【００３５】
具体的に、この掃除口41は、桝本体25の軸方向に沿った枝管流入口34aと枝管流入口34bとの間の中間部に、この掃除口41の中心が位置するように設けられている。すなわち、この掃除口41は、枝管流入口34bの流入口23側に位置する連結管部36の内側面と、枝管流入口34aの流出口24側に位置する連結管部36の内側面との間における桝本体25の幅方向に沿った中央部に中心が位置するように設けられている。さらに、この掃除口41には、この掃除口41を開閉可能に閉塞する有底略長円筒状の図示しない蓋体が着脱可能に取り付けられている。
【００３６】
次に、上記第１の実施の形態の合流桝の配管方法について説明する。
【００３７】
まず、建物２内の風呂場４や洗面所５、洗濯機６、トイレ７、台所８などの排水設備の排水口の位置が決定した状態で、これら各排水口の数に合わせて、これら各排水口に接続できる枝管流入口34a,34bを有するように、排水体21a,21b,21cのボルト挿通孔28aを互いに連通させて、これら連通したボルト挿通孔28a間をパッキングを介してボルトおよびナットにて水密に接続する。
【００３８】
次いで、最も上流側に位置する排水桝21aの流入口23にキャップ体31を取り付けて水密に閉塞して合流桝１を形成する。
【００３９】
この状態で、例えばこの合流桝１の各排水桝21a,21b,21cの取付片部29のボルト挿通孔28bに図示しないボルトの軸部を挿通させて、この合流桝１を図示しない設置支持体を用いて建物２の床下面上に位置決め固定する。
【００４０】
この後、設置支持体の高さを調整して、合流桝１の上流側を下流側よりも高くして、この合流桝１に流水勾配を形成する。
【００４１】
さらに、建物２内の風呂場４や洗面所５、洗濯機６、トイレ７、台所８などの排水設備の排水口それぞれに排水管３の一端をそれぞれ接続した後、これら各排水管３の他端を、合流桝１の各排水桝21a,21b,21cの枝管流入口34a,34bのそれぞれに嵌合させて接着固定する。
【００４２】
このとき、建物２内の風呂場４や洗面所５、洗濯機６、トイレ７、台所８などの排水設備の排水口に接続された排水管３の本数が、合流桝１の枝管流入口34a,34bの数よりも少ない場合には、これら枝管流入口34a,34bのいずれか一つに閉塞キャップ37を取り付けて水密に閉塞する。
【００４３】
そして、合流桝１の最も下流側に位置する排水桝21cの流出口24に排水管11の上流端側を内嵌合させて接着固定してから、この排水管11の下流端を屋外の排水桝12の上流端に接着固定して配管する。
【００４４】
さらに、この排水桝12の下流端に敷地内排水管13を配管し、この敷地内排水管13を公共桝へと配管する。
【００４５】
また、合流桝１内および排水管３内が目詰まりした場合などには、この合流桝１中の該当する排水桝21a,21b,21c上の掃除口41から蓋体を取り外して、この掃除口41から排水桝21a,21b,21c内や枝管流入口34a,34bを介して排水管３内を点検および掃除した後、この掃除口41に蓋体を取り付ける。
【００４６】
上述したように、上記第１の実施の形態によれば、各排水桝21a,21b,21cの一方の枝管流入口34aの軸心と、この枝管流入口34aの反対側に設けられた他方の枝管流入口34bの軸心との間の距離を、これら枝管流入口34a,34bの直径Ｄ以上とする。この場合、これら各排水桝21a,21b,21cの桝本体25の幅寸法、すなわち枝管流入口34a,34b間の距離に関わらず、一方の枝管流入口34aからインバート部22へと流入した排水が、他方の枝管流入口34bに直接当たることはあり得ない。
【００４７】
さらに実際には、各排水桝21a,21b,21cの桝本体25の幅寸法に応じて、各枝管流入口34a,34bから流入する排水が重力の作用によって落下する。したがって、これら各枝管流入口34a,34bの軸心間の距離をより小さくしても、これら枝管流入口34a,34bからインバート部22へと流入する排水が、反対側の枝管流入口34b,34aに直接当たることはない。
【００４８】
このとき、具体的に排水桝21a,21b,21cの形状を考えると、一般に建物２の屋内排水における排水管３の呼び径としては、雑排水の場合５０ｍｍが使用されている。また、建物２の屋内の風呂場４や洗面所５、洗濯機６、トイレ７、台所８などの排水設備から排出される排水は、それぞれ呼び径５０ｍｍの排水管３を通じて呼び径１００ｍｍ相当の幅の桝本体25に合流するように形成されている。このため、排水が桝本体25の流入口23から流出口24へと流れる方向を挟んで対向する枝管流入口34a,34b間の距離は、桝本体25の幅寸法である呼び径１００ｍｍの直径程度と見込むことができる。
【００４９】
そこで、呼び径５０ｍｍの排水管３の流速および流量について考えると、呼び径５０ｍｍでは内径寸法が５６ｍｍであるから、
ｕ＝(１／ｎ)δ１／２Ｒ２／３
Ｑ＝Ａ×ｕ
Ｒ＝Ａ／Ｐ
ｕ；平均流速
ｎ；粗度係数
δ；管の勾配
Ｒ：径深
Ａ：流水断面積
Ｐ：流れの潤辺長
Ｑ：流量
に示すマニングの式で計算する。このとき、合成樹脂管における粗度係数を０．０１０とし、管路勾配を２／１００として計算すると、排水が排水管３の満管状態となる場合の平均流速が８２１ｍｍ／ｓｅｃとなる。
【００５０】
さらに、この排水管３が満管状態の場合には、
Ｖ＝Ｖmax・{１−(ｒ／ｒ０)２}
Ｖ；流速
Ｖmax；最大流速  (＝平均流速(ｕ)の２倍＝１６４２ｍｍ／ｓｅｃ)
ｒ；排水管３の中心からの距離  (＝１４ｍｍ)
ｒ０；排水管３の半径  (＝２８ｍｍ)
のナビエ・ストークスの式に代入することによって、流速(Ｖ)をｒの関数として示すことができる。このとき、桝本体25の幅を呼び径１００ｍｍの直径程度と見込んだことにより、この桝本体25の本体幅は１０７ｍｍと考えられ、この１０７ｍｍほど離れた対向する呼び径５０ｍｍの枝管流入口34aに、上述した計算で得られた排水が直接当たるか否かを考えるために、１０７ｍｍ離れた直壁に当たる場合の排出側の枝管流入口34aとの高さの関係を、自由落下の計算から求める。
【００５１】
【表１】
2005325544.tif 000003
【００５２】
この結果、表１、図５および図６に示すように、１０７ｍｍ離れた直壁に当たる部分が、対向する枝管流入口34bの円周内部に入っていなければ良い。よって、一方の枝管流入口34aの軸心と、この一方の枝管流入口34aに対向する他方の枝管流入口34bの軸心との距離が、これら枝管流入口34a,34bの半径以上離れていれば、一方の枝管流入口34aからインバート部22へと流れ込む排水が他方の枝管流入口34bへ直接当たらないので、排水の逆流を抑えることができる。
【００５３】
ただし実際には、排出側の枝管流入口34aと風呂場４や洗面所５、洗濯機６、トイレ７、台所８などの排水設備との距離が近い場合には、排水落下の勢いなどによって、排水の流速が上述の計算値より大きくなる。したがって、合流桝１の使用状況などを考慮して、これら枝管流入口34a,34bの軸心間の距離をより大きくすれば、一方の枝管流入口34aからインバート部22へと流れ込む排水による他方の枝管流入口34bへの逆流をより確実に抑えることができる。
【００５４】
これらの結果、一方の枝管流入口34aからインバート部22へと流入する排水が、他方の枝管流入口34bへと直接当たらなくできるので、一方の枝管流入口34aからインバート部22へと流れ込む排水による他方の枝管流入口34bへの逆流をより確実に抑えることができると同時に、これら枝管流入口34a,34bをより近接させて設けることができる。したがって、これら枝管流入口34a,34bへの排水の逆流を抑えつつ、排水桝21a,21b,21cをより小型化できる。
【００５５】
よって、これら排水桝21a,21b,21cをより小型化にすることによって、これら排水桝21a,21b,21cを製造する際の材料面からの製造コストを削減できるとともに、これら排水桝21a,21b,21cをより軽量にできる。さらに、これら排水桝21a,21b,21cを用いた屋内の床下上での排水管路の取り回しをより容易できる。
【００５６】
なお、上記第１の実施の形態では、枝管流入口34bの中心軸と枝管流入口34aの中心軸とが、これら枝管流入口34a,34bの直径分ずれた構成としたが、図７および図８に示す第２の実施の形態のように、一方の枝管流入口34aの中心軸と他方の枝管流入口34bの中心軸とが、これら枝管流入口34a,34bの半径分ずれた構成にすることもできる。
【００５７】
このとき、他方の枝管流入口34bの流入側の連結管部36の内側面は、一方の枝管流入口34aの軸心に対して桝本体25の幅方向に沿って一致するように形成されている。すなわち、これら枝管流入口34a,34bは、一方の枝管流入口34aの軸心と他方の枝管流入口34bの軸心との間の距離が、これら枝管流入口34a,34bの半径ｒ０となるように設けられている。
【００５８】
さらに、各排水桝21a,21b,21cの掃除口41は、上面視円形状に設けられている。そして、この掃除口41に着脱可能に取り付けられる蓋体もまた、略円形状に形成されている。
【００５９】
この結果、一方の枝管流入口34aからインバート部22へと流入する排水が、他方の枝管流入口34bへと直接当たらなくなるから、上記第１の実施の形態と同様の作用効果を奏することができる。さらに、一方の枝管流入口34aの軸心と他方の枝管流入口34bの軸心との間の距離を、これら枝管流入口34a,34bの半径ｒ０としたことにより、これら枝管流入口34a,34b間の距離をより小さくできるので、これら枝管流入口34a,34bを備えた排水桝21a,21b,21cをより小型化できる。
【００６０】
なお、上記各実施の形態では、排水管３を接続する必要のない枝管流入口34a,34bに適宜閉塞キャップ37を取り付けて水密に閉塞することもできる。また、最も上流側に位置する排水桝21aの流入口23に図示しないソケット体などを取り付けて、このソケット体に排水管３を接続してもよい。
【００６１】
さらに、各排水桝21a,21b,21cの各枝管流入口34a,34bの口径より排水管３の口径が小さい場合には、これら各枝管流入口34a,34bに図示しないブッシングなどを取り付けて、このブッシングに排水管３を接続することもできる。そして、排水桝21a,21b,21cの両側部に一つずつ枝管流入口34a,34bを形成したが、１つの排水桝21a,21b,21cの両側部に一つ以上の枝管流入口34a,34bを形成してもよい。また、これら枝管流入口34a,34bは、排水管３が接続できる構成であれば、どのような形状であってもよい。
【図面の簡単な説明】
【００６２】
【図１】本発明の排水桝の第１の実施の形態を示す横断面図である。
【図２】同上排水桝を示す上面図である。
【図３】同上排水桝を示す図２中のIII−III断面図である。
【図４】同上排水桝の設置状態を示す説明図である。
【図５】同上排水桝の枝管流入口からの排水の落下量を示す説明図である。
【図６】同上排水桝の枝管流入口から排出される排水が直接当たる位置を示す説明図である。
【図７】本発明の第２の実施の形態の排水桝を示す横断面図である。
【図８】同上排水桝を示す上面図である。
【符号の説明】
【００６３】
４    排水設備としての風呂場
５    排水設備としての洗面所
６    排水設備としての洗濯機
７    排水設備としてのトイレ
８    排水設備としての台所
21a,21b,21c    排水桝
22    インバート部
23    流入口
24    流出口
34a,34b    枝管流入口
【図１】
2005325544.tif 000004
【図２】
2005325544.tif 000005
【図３】
2005325544.tif 000006
【図４】
2005325544.tif 000007
【図５】
2005325544.tif 000008
【図６】
2005325544.tif 000009
【図７】
2005325544.tif 000010
【図８】
2005325544.tif 000011